【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
一端が開放した袋(12)にサンドイッチ(16)を収容した半包装体(10)におけるサンドイッチ端面(16a)より延出する袋口部(14)の上下左右の各面をなす各開口縁部(14a,14b,14b,14c)を、外方から互いに重なる方向へ順次折り畳んでサンドイッチ端面(16a)に沿わせて封止するサンドイッチ包装機の袋口部折り畳み装置において、
前記袋口部(14)の下開口縁部(14a)を、前記サンドイッチ端面(16a)に沿うように折り畳む下折り畳み部材(29)と、
前記下折り畳み部材(29)による折り畳みに先立ち、下開口縁部(14a)がサンドイッチ端面(16a)に沿って折り畳まれた際に下部領域が上方に折り返される各横開口縁部(14b)の折り返しラインに相当する部分を支持可能な傾斜角度で、横開口縁部(14b)を内方から支持する袋口支持部材(35)とから構成した
ことを特徴とするサンドイッチ包装機の袋口部折り畳み装置。
【請求項２】
前記下折り畳み部材(29)は、前記サンドイッチ端面(16a)に近接する方向へ回動しつつ上昇して前記下開口縁部(14a)を折り畳むよう構成した請求項１記載のサンドイッチ包装機の袋口部折り畳み装置。
【請求項３】
一対の前記袋口支持部材(35,35)は、両横開口縁部(14b,14b)より狭小な間隔で位置決めされ、袋口部(14)内に挿入した後、互いに離間して、横開口縁部(14b)に夫々当接するまで拡開するよう構成した請求項１または２記載のサンドイッチ包装機の袋口部折り畳み装置。
【請求項４】
前記下開口縁部(14a)の折り畳みにより前記各横開口縁部(14b)における下部領域が折り返されて重なった部位を、夫々挟んで熱溶着するシール手段(38,38)を備えた請求項１〜３の何れか一項に記載のサンドイッチ包装機の袋口部折り畳み装置。
【請求項５】
前記シール手段(38,38)は、各横開口縁部(14b)をサンドイッチ端面(16a)に近接した位置で挟持して熱溶着するよう設定されている請求項４記載のサンドイッチ包装機の袋口部折り畳み装置。
【請求項６】
前記シール手段(38,38)と前記袋口支持部材(35,35)との夫々は、サンドイッチ(16)の厚さに応じた位置に調節可能に構成した請求項４または５記載のサンドイッチ包装機の袋口部折り畳み装置。
【手続補正２】
【補正対象書類名】明細書
【補正対象項目名】０００６
【補正方法】変更
【補正の内容】
【０００６】
前記課題を克服し、所期の目的を達成するため、本発明に係るサンドイッチ包装機の袋口部折り畳み装置は、
一端が開放した袋にサンドイッチを収容した半包装体におけるサンドイッチ端面より延出する袋口部の上下左右の各面をなす各開口縁部を、外方から互いに重なる方向へ順次折り畳んでサンドイッチ端面に沿わせて封止するサンドイッチ包装機の袋口部折り畳み装置において、
前記袋口部の下開口縁部を、前記サンドイッチ端面に沿うように折り畳む下折り畳み部材と、
前記下折り畳み部材による折り畳みに先立ち、下開口縁部がサンドイッチ端面に沿って折り畳まれた際に下部領域が上方に折り返される各横開口縁部の折り返しラインに相当する部分を支持可能な傾斜角度で、横開口縁部を内方から支持する袋口支持部材とから構成したことを特徴とする。
【手続補正３】
【補正対象書類名】明細書
【補正対象項目名】０００７
【補正方法】変更
【補正の内容】
【０００７】
本願の請求項１に係る発明によれば、各横開口縁部の下部領域が上方に折り返された際の折り返しラインに相当する部分に対応して所定の傾斜角度で、横開口縁部の内方から夫々支持しつつ、下開口縁部をサンドイッチ端面に近接する方向へ折り畳むので、下開口縁部が折り返しラインの角部近傍で支持されるから、サンドイッチの形状にかかわらず常に一定のラインで下開口縁部を折り畳むことができると共に、サンドイッチの如く柔軟なものであっても、好適に折り畳み得る。しかも、下開口縁部の折り畳みに伴って、この下開口縁部に連なる各横開口縁部の下部領域も上部領域の内面に沿って折り返されるものの、各横開口縁部の折り返しラインは、夫々支持されているので、例えば袋として柔らかい材質のものを使用しても、横開口縁部の折り返し部分は良好に仕上げられる。
【手続補正４】
【補正対象書類名】明細書
【補正対象項目名】０００８
【補正方法】変更
【補正の内容】
【０００８】
請求項２の発明によれば、下折り畳み部材は、サンドイッチ端面に近接する方向へ回動しつつ上昇して下開口縁部を折り畳むよう構成したから、折り畳んだ下開口縁部の仕上がり具合をより向上させることができる。請求項３の発明によれば、一対の袋口支持部材を、両横開口縁部より狭小な間隔で位置決めすると共に、袋口部内に挿入した後、互いに離間して、横開口縁部に夫々当接するまで拡開するよう構成することで、半包装体の搬送に際して、袋口部と袋口支持部材の干渉を防止し得る。また、袋口部の内方に袋口支持部材を確実に挿入することができる。請求項４の発明によれば、横開口縁部の重なった部位を熱溶着しておくことで、次の折り畳み処理まで別の保持手段を使用せず、折り畳んだ下開口縁部の状態を保持し得るだけでなく、次の横開口縁部の折り畳みに際して重なった部位がずれず、仕上がり具合を良好にすることができる。また、横開口縁部自体の折り畳みに際して、例えば袋として柔らかい材質のものを使用しても、熱溶着により剛性が増すから好適に折り畳むことができる。
【手続補正５】
【補正対象書類名】明細書
【補正対象項目名】０００９
【補正方法】変更
【補正の内容】
【０００９】
請求項５の発明によれば、シール手段により各横開口縁部をサンドイッチ端面に近接した位置で挟持して熱溶着するよう設定されているから、下開口縁部の折り畳み状態が良好に保たれる。請求項６の発明によれば、シール手段と袋口支持部材との夫々を、サンドイッチの厚さに応じた位置に調節可能に構成したから、異なる厚さのサンドイッチに対応することができる。
【手続補正６】
【補正対象書類名】明細書
【補正対象項目名】００１７
【補正方法】変更
【補正の内容】
【００１７】
(袋口支持手段) 
前記一対の袋口支持手段３４,３４は、第１位置Ｐ１に相対して配置された第１袋口部折り畳み装置Ｓ１における第１機枠２７の上部に左右の関係で離間して配設され、第１エアシリンダ３７により互いに近接または離間する左右方向に沿って夫々移動される。この一対の袋口支持手段３４,３４は、半包装体１０の厚さより狭小な離間間隔(狭小状態)と(図３の実線参照)、半包装体１０の厚さと略同一となる離間間隔(拡開状態)との間を変位するよう設定され(図３の２点鎖線参照)、後述する袋口支持部材３５の袋口部１４への挿入時には互いに近接した狭小状態にあって、袋口支持部材３５の挿入後には互いに離間して拡開状態に変位するようになっている。また各袋口支持手段３４は、第１位置Ｐ１に到来した半包装体１０の袋開口１２ａを介して袋口部１４に挿入して対応する横開口縁部１４ｂを内方から支持する棒状の袋口支持部材３５と、この袋口支持部材３５の後端部に設けられ、袋口支持部材３５を袋口部１４に対して直線的に挿脱移動させるロッドシリンダ３６とを有している。前記袋口支持部材３５は、前側から後側に向かうにつれて上方傾斜するように配設され、ロッドシリンダ３６により上方からサンドイッチ１６の下端縁角部近傍にめがけて突出して各横開口縁部１４ｂを支持する位置と(図４の２点鎖線参照)、袋口部１４から後側へ退避する位置とに変位するようになっている(図４の実線参照)。前記袋口支持部材３５の傾斜角度は、前記袋口部１４における下開口縁部１４ａの折り畳みに伴って、各横開口縁部１４ｂの下部領域が上方に折り畳まれた際に、横開口縁部１４ｂの折り返しラインの傾斜角度におおよそ沿った角度に設定される。すなわち各袋口支持部材３５は、対応する横開口縁部１４ｂから内側に挿入された後、外側(横開口縁部１４ｂの内面に近接する側)に移動して横開口縁部１４ｂの折り返しラインに相当する部分に当接し、下折り畳み手段２８による下開口縁部１４ａの折り畳みに際して、各横開口縁部１４ｂの折り返しラインに相当する部分を略全域に亘って支持する。なお、前記袋口支持部材３５は、棒状のものに限定されず、第１シール手段３８に干渉しなければ、例えば板状またはその他の形状であってもよい。また各袋口支持手段３４において、袋口支持部材３５を接離させる手段および半包装体１０に対して進退移動させる手段として、流体圧を利用したシリンダ３６,３７を用いたが、例えばラックとピニオンとからなる機構をモータ等の駆動手段で駆動する構成等、その他手段を採用してもよい。
【手続補正７】
【補正対象書類名】明細書
【補正対象項目名】００３２
【補正方法】変更
【補正の内容】
【００３２】
１０ 半包装体，１２ 袋，１２ａ 袋開口，１４ 袋口部，
１４ａ 下開口縁部(開口縁部)，１４ｂ 横開口縁部(開口縁部)，
１４ｃ 上開口縁部(開口縁部)，１６ サンドイッチ，２９ 下折り畳み部材，
３５ 袋口支持部材，３８ 第１シール手段(シール手段)